(57)【特許請求の範囲】
【請求項１】
機器の接続ポートに設けられた伝送線に対応した第１のピン群が配設され、前記機器の接続ポートに装着される機器接続体と、
前記機器接続体に対して首振り自在に連結され、通信線のコネクタの各ピンに対応した第２のピン群が配設され、前記通信線のコネクタを装着可能な装着口を有し、前記通信線が装着されるソケットである通信線接続体と、
前記機器接続体が前記機器の接続ポートに装着され、前記通信線接続体に前記通信線が装着された状態で、前記第１のピン群と前記第２のピン群とを信号伝送可能に接続し、前記機器と前記通信線とを通信可能に接続する中間伝送線と、
を備えることを特徴とする通信線コネクタ。
【請求項２】
前記通信線接続体の首振りを抑制する抑制手段を備える、ことを特徴とする請求項１に記載の通信線コネクタ。
【請求項３】
前記機器接続体および通信線接続体の少なくとも一方が伸縮自在である、ことを特徴とする請求項１または２のいずれか１項に記載の通信線コネクタ。
【発明の詳細な説明】
【技術分野】
【０００１】
この発明は、ＬＡＮケーブルなどの通信線を機器に接続するためのアダプタである通信線コネクタに関する。
【背景技術】
【０００２】
例えば、ＬＡＮケーブルをコンピュータに接続する場合、ケーブルの先端に設けられたＬＡＮコネクタをコンピュータのＬＡＮポートに差し込むことで、接続を行う。このようなＬＡＮコネクタは、ケーブルに対して固定されており、ケーブル自体は曲げられるようになっているが、ＬＡＮコネクタはケーブルに対して曲げられるようにはなっていない。このため、ＬＡＮコネクタの差込方向に合わせるように、ケーブルの先端部を曲げる必要がある。また、ＬＡＮケーブルの布設作業を容易にするために、複数の入出力機器それぞれとＬＡＮケーブルとをトランシーバケーブルを介して接続する技術が知られている（例えば、特許文献１参照。）。
【先行技術文献】
【特許文献】
【０００３】
【特許文献１】特開２００２−１６４８９５号公報
【発明の概要】
【発明が解決しようとする課題】
【０００４】
ところで、通信機器などにおいて、ＬＡＮポートが多数かつ密接して配列されているものがある。このような各ＬＡＮポートにそれぞれＬＡＮケーブルを接続する場合、各ＬＡＮケーブルをＬＡＮポートの方向に一様に合わせて曲げ、各ＬＡＮコネクタをＬＡＮポートに差し込まなければならない。しかしながら、ＬＡＮポートが多数かつ密接して配列されているため、すべてのＬＡＮコネクタを互いに密接し、かつ一方向に向くように各ＬＡＮケーブルを曲げなければならず、そのためには、各ＬＡＮケーブルを複雑に曲げたり、余長を長く確保したりする必要がある。このため、各ＬＡＮケーブルの配設、差し込みが煩雑となり、その作業にも時間と労力とを要することになる。
【０００５】
そこでこの発明は、多数の通信線を配設する場合でも、通信線を整然と配設し、かつ容易に配設することを可能にする通信線コネクタを提供することを目的とする。
【課題を解決するための手段】
【０００６】
上記目的を達成するために請求項１に記載の発明は、機器の接続ポートに設けられた伝送線に対応した第１のピン群が配設され、前記機器の接続ポートに装着される機器接続体と、前記機器接続体に対して首振り自在に連結され、通信線のコネクタの各ピンに対応した第２のピン群が配設され、前記通信線のコネクタを装着可能な装着口を有し、前記通信線が装着されるソケットである通信線接続体と、前記機器接続体が前記機器の接続ポートに装着され、前記通信線接続体に前記通信線が装着された状態で、前記第１のピン群と前記第２のピン群とを信号伝送可能に接続し、前記機器と前記通信線とを通信可能に接続する中間伝送線と、を備えることを特徴とする通信線コネクタである。
【０００７】
この発明によれば、機器の接続ポートに設けられた伝送線に対応した第１のピン群が配設された機器接続体を機器の接続ポートに装着し、通信線のコネクタの各ピンに対応した第２のピン群が配設され、ソケットである通信線接続体に通信線を装着することで、第１のピン群と第２のピン群とを信号伝送可能に接続し、機器と通信線とが通信可能となる。
【０００８】
請求項２に記載の発明は、請求項１に記載の通信線コネクタにおいて、前記通信線接続体の首振りを抑制する抑制手段を備える、ことを特徴とする。
【０００９】
請求項３に記載の発明は、請求項１または２に記載の通信線コネクタにおいて、前記機器接続体および通信線接続体の少なくとも一方が伸縮自在である、ことを特徴とする。
【発明の効果】
【００１０】
請求項１に記載の発明によれば、通信線接続体が機器接続体に対して首振り自在となっている。このため、機器に多数の接続ポートが配列されている場合に、各接続ポートに接続する通信線コネクタの通信線接続体の首振り角度、方向を変えることで、各通信線の装着角度、方向が相互に異なり、多様となる。この結果、通信線の配設自由度が高くなり、多数の通信線を配設する場合であっても、各通信線を多様な方向にスムーズ・簡潔に曲げて、多様な方向から通信線コネクタに接続することで、通信線を整然と配設し、かつ容易に配設することが可能となる。
【００１１】
請求項２に記載の発明によれば、通信線接続体の首振りを抑制する抑制手段を備えるため、一度通信線接続体の首振り角度、方向が決まった後には、その角度、方向を仮固定することができる。この結果、通信線を整然と配設し、かつ容易に配設することが可能となる。
【００１２】
請求項３に記載の発明によれば、機器接続体および通信線接続体の少なくとも一方が伸縮自在であるため、通信線コネクタの機器接続体や通信線接続体の伸縮位置を変えることで、通信線の通信線接続体に対する装着位置が変わる。この結果、通信線の配設自由度がより高くなり、多数の通信線を配設する場合であっても、各通信線コネクタを多様に伸縮させて、多様な位置から通信線を装着することで、通信線を整然と配設し、かつ容易に配設することが可能となる。
【図面の簡単な説明】
【００１３】
【図１】この発明の実施の形態１に係る通信線コネクタを示す正面断面図（ａ）と側面図（ｂ）である。
【図２】この発明の実施の形態２に係る通信線コネクタが縮んだ状態を示す正面断面図（ａ）と、通信線コネクタが延びた状態を示す正面断面図（ｂ）である。
【図３】この発明の実施の形態１、２における機器接続体と通信線接続体との他の連結構造を示す図である。
【図４】この発明の実施の形態２に係る他の通信線コネクタが縮んだ状態を示す正面（一部断面）図（ａ）と、通信線コネクタが延びた状態を示す正面（一部断面）図（ｂ）である。
【発明を実施するための形態】
【００１４】
以下、この発明を図示の実施の形態に基づいて説明する。
【００１５】
（実施の形態１）
図１は、この実施の形態に係る通信線コネクタ１を示す正面断面図（ａ）と側面図（ｂ）である。この通信線コネクタ１は、ＬＡＮケーブル（通信線）を通信機器（機器）に接続するためのアダプタであり、主として、機器接続体２と、通信線接続体３と、通信回路４とを備えている。
【００１６】
機器接続体２は、通信機器の接続ポートに装着されるフラグで、接続ポートの形状、大きさに応じた形状、大きさに形成されている。また、この機器接続体２の開放端側には、接続ポートに設けられた伝送線に対応した第１のピン群４１が配設されている。
【００１７】
通信線接続体３は、ＬＡＮケーブルが装着されるソケットで、装着口３ａは、ＬＡＮケーブルのコネクタを装着できるように、その形状、大きさが設定されている。また、装着口３ａ内には、ＬＡＮケーブルの各線（コネクタの各ピン）に対応した第２のピン群４２が配設されている。このような通信線接続体３は、機器接続体２に対して首振り自在（相互に首振り自在）に連結され、かつ、その首振りを抑制（仮固定）する抑制手段が設けられている。
【００１８】
すなわち、機器接続体２の基端部側（通信線接続体３側）に、回動軸２ａが設けられ、通信線接続体３の基端部側（機器接続体２側）には、回動軸２ａの両端部を回転自在に支持する軸支部３ｂが形成されている。これにより、回動軸２ａを軸にして、図中Ｔ方向に、通信線接続体３が首振り自在（回動自在）になっている。また、機器接続体２の基端部側の側部に、回動軸２ａを中心として放射状に、複数の凹状の係合凹部２ｂが形成され、通信線接続体３の基端部側の内側部には、軸支部３ｂを中心として放射状に、複数の凸状の係合凸部３ｃが形成されている。そして、各係合凸部３ｃが係合凹部２ｂに係合することで、通信線接続体３の首振りが抑制され、各係合凸部３ｃと係合凹部２ｂとの係合を解除する（係合力を超える外力を加える）ことで、通信線接続体３が首振りするようになっている。このように、係合凹部２ｂと係合凸部３ｃとによって、通信線接続体３の首振りを抑制する抑制手段が構成されている。
【００１９】
通信回路４は、上記の第１のピン群４１および第２のピン群４２と、第１のピン群４１と第２のピン群４２とを信号伝送可能に接続する中間伝送線４３とから構成されている。そして、機器接続体２を通信機器の接続ポートに装着し、通信線接続体３にＬＡＮケーブルを装着することで、第１のピン群４１、中間伝送線４３および第２のピン群４２を介して、通信機器とＬＡＮケーブルとが通信可能に接続されるようになっている。
【００２０】
以上のように、この通信線コネクタ１によれば、通信線接続体３が機器接続体２に対して首振り自在となっている。このため、通信機器に多数の接続ポートが配列されている場合に、各接続ポートに接続する通信線コネクタ１の通信線接続体３の首振り角度、方向を変えることで、各ＬＡＮケーブルの装着角度、方向が相互に異なり、多様となる。この結果、ＬＡＮケーブルの配設自由度が高くなる。つまり、各ＬＡＮケーブルをそれぞれの配置や周囲の状況などに応じて曲げ、この曲げに合わせて通信線接続体３を首振りすることで、容易に所望の配設が可能となる。この結果、多数のＬＡＮケーブルを密接して配設する場合であっても、各ＬＡＮケーブルをそれぞれ適正な方向に曲げて、適正な方向からそれぞれの通信線コネクタ１に接続することで、無理な配設をすることなく、各ＬＡＮケーブルを整然と配設し、かつ容易に配設することが可能となる。
【００２１】
しかも、各係合凸部３ｃが係合凹部２ｂに係合することで、通信線接続体３の首振りが抑制されるため、一度通信線接続体３の首振り角度、方向が決まった後には、その角度、方向を仮固定することができる。つまり、適正な角度、方向に通信線接続体３が仮固定されるため、ＬＡＮケーブルの装着角度、方向が容易には変動せず、ＬＡＮケーブルをより整然と配設し、かつ容易に配設することが可能となる。
【００２２】
（実施の形態２）
図２は、この実施の形態に係る通信線コネクタ１０が縮んだ状態を示す正面断面図（ａ）と、通信線コネクタ１０が延びた状態を示す正面断面図（ｂ）である。この実施の形態では、通信線接続体５が伸縮自在である点で、実施の形態１と構成が異なり、実施の形態１と同等の構成については、同一符号を付することで、その説明を省略する。
【００２３】
この通信線接続体５は、第１の通信線接続体５１と、第２の通信線接続体５２と、蛇腹体５３とから構成されている。第１の通信線接続体５１は、実施の形態１における通信線接続体３と同様に、機器接続体２に対して首振り自在に連結されている。なお、抑制手段は設けてもよいし、設けなくてもよい。
【００２４】
この第１の通信線接続体５１に、蛇腹体５３を介して第２の通信線接続体５２が連結され、この第２の通信線接続体５２内に、第２のピン群４２が配設されている。蛇腹体５３は、蛇腹状の筒体で、伸縮自在となっている。つまり、この蛇腹体５３が伸縮することで、通信線接続体５が伸縮自在となっている。
【００２５】
この実施の形態によれば、通信線接続体５が伸縮自在であるため、通信線接続体５の伸縮位置を変えることで、ＬＡＮケーブルの通信線接続体５に対する装着位置が変わる。この結果、ＬＡＮケーブルの配設自由度がより高くなり、多数のＬＡＮケーブルを配設する場合であっても、各通信線コネクタ１０を配置や周囲の状況などに応じて伸縮させ、適正な位置からＬＡＮケーブルを装着することで、各ＬＡＮケーブルを整然と配設し、かつ容易に配設することが可能となる。
【００２６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、通信線接続体３、５が一方向Ｔにのみ首振り自在となっているが、全方向に首振り自在にしてもよい。例えば、図３に示すように、機器接続体６の基端部側を球状の凹体６ａ、通信線接続体７の基端部側を球状の凸体７ａとし、凸体７ａが凹体６ａ内に嵌合することで、通信線接続体７が機器接続体６に対して全方向に首振り自在となるようにする。このとき、凹体６ａに形成された複数の凸状の係合凸部６ｂと、凸体７ａに形成された複数の凹状の係合凹部７ｂとによって抑制手段を構成し、各係合凸部６ｂと係合凹部７ｂとが係合することで、通信線接続体７の首振りが抑制されるようにしてもよい。
【００２７】
また、伸縮機構として、蛇腹以外の機構であってもよい。例えば、図４に示すように、通信線接続体６を、第１の通信線接続体６１と第２の通信線接続体６２とで構成し、第１の通信線接続体６１を、実施の形態１における通信線接続体３と同様に、機器接続体２に対して首振り自在に連結する。また、第２の通信線接続体６２を筒体とし、その筒内に第１の通信線接続体６１を移動自在に挿入することで、第２の通信線接続体６２を第１の通信線接続体６１に対して伸縮自在にする。さらに、第１の通信線接続体６１の側部の垂直方向に、複数の凹部６１ａを設け、第２の通信線接続体６２の内側部には、凸部６２ａを設ける。そして、凹部６１ａと凸部６２ａとが係合することで、伸縮位置が仮固定されるようにしてもよい。
【００２８】
また、実施の形態２において、機器接続体２側が伸縮するようにしてもよい。さらに、蛇腹体５３を折り曲げ自在とし、蛇腹体５３を折り曲げることで、第２の通信線接続体５２が機器接続体２に対して首振り自在となるようにしてもよい。従って、この場合、回動軸２ａなどを不要にすることができる。また、ストレートケーブルをクロスケーブルに変換する機構を備えたり、ＬＡＮケーブルの使用用途や重要性などを識別するための色分けを施したりしてもよい。
【産業上の利用可能性】
【００２９】
この発明は、ＬＡＮケーブルのみならず、電話線などその他の通信線にも適用可能である。
【符号の説明】
【００３０】
１、１０    通信線コネクタ
２、７      機器接続体
２ａ        回動軸
２ｂ、７ｂ  係合凹部（抑制手段の構成要素）
６１ａ      係合凹部
３、５、６、６１、６２  通信線接続体
３ｃ、６ｂ  係合凸部（抑制手段の構成要素）
６２ａ      係合凸部
４          通信回路
４１        第１のピン群
４２        第２のピン群
４３        中間伝送線
５１        第１の通信線接続体
５２        第２の通信線接続体
５３        蛇腹体
６ａ        球状の凹体
７ａ        球状の凸体
【図１】
0005570234.tif 000002
【図２】
0005570234.tif 000003
【図３】
0005570234.tif 000004
【図４】
0005570234.tif 000005